【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示する変動表示部を備え、該変動表示部に導出表示された識別情報の表示結果が予め定められた特定表示結果となったときに、遊技者にとって有利な特定遊技状態に制御する遊技機であって、
遊技の進行を制御するとともに、前記変動表示部を含む演出装置の制御を行なうためのコマンドを送信する遊技制御手段と、
前記遊技制御手段が送信するコマンドに基づいて、前記演出装置の制御を行なう演出制御手段とを備え、
前記遊技制御手段は、
前記特定遊技状態に制御するか否かを前記識別情報の表示結果が導出表示される以前に決定する事前決定手段と、
該事前決定手段による決定に基づいて、前記変動表示部において前記識別情報の変動表示が開始されてから表示結果が導出表示されるまでの変動時間を少なくとも特定可能な複数種類の変動表示パターンの中から実行する変動表示パターンを選択する変動表示パターン選択手段と、
該変動表示パターン選択手段により選択された変動表示パターンを指示するための変動表示パターンコマンドを含む前記コマンドを送信するコマンド送信手段とを含み、
前記演出制御手段は、
予め定められた複数種類の演出パターンの中から、前記変動表示パターンコマンドに基づいて特定された変動表示パターンの変動時間で前記識別情報の変動表示を行なう演出パターンを選択する演出パターン選択手段と、
該演出パターン選択手段により選択された演出パターンにより前記識別情報の変動表示を実行する変動表示実行手段と、
前記演出装置の表示態様を複数回の変動表示に亘って規定する演出モードとして、第１の演出モードと、該第１の演出モードよりもリーチ演出を行なう割合が高い第２の演出モードとのどちらかを選択して実行し、所定のモード切替え条件が成立したときに、実行する演出モードを切替える制御を行なう演出モード制御手段とを含み、
前記変動表示パターン選択手段は、前記識別情報の表示結果が前記特定表示結果とならないときに、リーチ演出を行なう変動表示とリーチ演出を行なわない変動表示とで共通に用いる変動表示パターンとしての共通変動表示パターンを選択可能であり、
前記演出パターン選択手段は、前記共通変動表示パターンを示すコマンドが送信されたときに、前記演出モード制御手段により切替えられている演出モードが前記第１の演出モードであればリーチ演出を行なわない非リーチ演出パターンを選択し、前記第２の演出モードであればリーチ演出を行なうリーチ演出パターンを選択することを特徴とする、遊技機。
【請求項２】
前記第１の演出モードにおいて、前記共通変動表示パターンを示すコマンドが送信されたときに前記演出パターン選択手段により選択される前記非リーチ演出パターンは、前記変動表示部において、前記識別情報の変動表示が開始されてから表示結果が導出表示されるまでに識別情報を一旦所定の態様で仮停止させた後に変動表示を再度実行する再変動を１回または複数回実行する再変動表示を行なう所定態様仮停止再変動演出パターンを含むことを特徴とする、請求項１に記載の遊技機。
【請求項３】
前記第１の演出モードにおいて、前記共通変動表示パターンを示すコマンドが送信されたときに前記演出パターン選択手段により選択される前記非リーチ演出パターンは、前記変動表示部において、前記識別情報の変動表示が開始されてから表示結果が導出表示されるまでに識別情報を一旦非特定表示結果となる態様で仮停止させた後に変動表示を再度実行する再変動を１回または複数回実行する再変動表示を行なう非特定表示結果仮停止再変動演出パターンを含むことを特徴とする、請求項１または２に記載の遊技機。
【請求項４】
前記演出制御手段は、
前記変動表示部において、前記識別情報の変動表示が開始されてから表示結果が導出表示されるまでに、識別情報とは別に、前記特定遊技状態となることを予告する予告演出を、前記事前決定手段により前記特定遊技状態に制御しないと決定されたときと比べて前記事前決定手段により前記特定遊技状態に制御すると決定されたときの方が高い割合で実行するように選択する予告演出選択手段と、
該予告演出選択手段による選択に応じて、前記予告演出を実行する予告演出実行手段とをさらに含み、
前記第１の演出モードにおいて、前記共通変動表示パターンを示すコマンドが送信されたときに前記演出パターン選択手段により選択される前記非リーチ演出パターンは、前記予告演出実行手段による予告演出を実行する予告演出パターンを含み、
前記予告演出実行手段は、前記演出パターン選択手段により前記予告演出パターンが選択されたときに、前記予告演出選択手段による選択によらず、前記予告演出を実行することを特徴とする、請求項１から３のいずれかに記載の遊技機。
【請求項５】
遊技者が操作可能な操作手段をさらに備え、
前記予告演出パターンは、実行する予告演出として、予告演出を実行可能な状態とするとともに、前記操作手段が操作されたことを条件として前記予告演出を実行する操作予告演出を含み、
前記予告演出実行手段は、前記演出パターン選択手段により前記予告演出パターンが選択されたときに、前記操作予告演出を実行することを特徴とする、請求項４に記載の遊技機。
【請求項６】
前記第１の演出モードにおいて、前記共通変動表示パターンを示すコマンドが送信されたときに前記演出パターン選択手段により選択される前記非リーチ演出パターンは、前記変動表示部において、前記識別情報の変動表示が開始されてから、表示結果を導出表示するための表示動作のうちの所定のタイミングとなるまでの時間が、前記リーチ演出において、前記識別情報の変動表示が開始されてから、当該所定のタイミングとなるまでの時間よりも遅延した動作遅延演出パターンを含むことを特徴とする、請求項１から４のいずれかに記載の遊技機。
【請求項７】
前記遊技制御手段は、
前記事前決定手段による決定結果に基づいて、前記識別情報の変動パターン種別を複数種類のいずれかに決定する変動パターン種別決定手段と、
前記事前決定手段による決定結果に基づいて、前記変動パターン種別決定手段により決定された変動パターン種別に含まれる変動パターンの中から変動パターンを決定する変動パターン決定手段とをさらに含むことを特徴とする、請求項１から６のいずれかに記載の遊技機。
【請求項８】
前記再変動表示が実行されるときに所定の報知を行なう報知手段と、
前記変動表示実行手段が前記再変動表示を実行するときに、前記報知手段による報知を行なう報知演出として、複数種類の報知態様の中から選択した報知態様で報知演出を実行する報知演出手段とをさらに備え、
該報知演出手段は、前記複数種類の報知態様のうちのいずれか１つを選択した報知態様で行なう報知演出と、前記複数種類の報知態様のうちのいずれか複数を選択して組合せた報知態様で行なう報知演出とを実行可能であり、
前記報知演出手段が実行する報知演出は、選択した報知態様に応じて、報知演出が実行された後に前記特定遊技状態となる信頼度が異なることを特徴とする、請求項２から７のいずれかに記載の遊技機。
【手続補正２】
【補正対象書類名】明細書
【補正対象項目名】０００７
【補正方法】変更
【補正の内容】
【０００７】
（１）  各々が識別可能な複数種類の識別情報（演出図柄）を変動表示する変動表示部（演出表示装置９）を備え、該変動表示部に導出表示された識別情報の表示結果が予め定められた特定表示結果（大当り図柄）となったときに、遊技者にとって有利な特定遊技状態（大当り遊技状態）に制御する遊技機（パチンコ遊技機１）であって、
遊技の進行を制御するとともに、前記変動表示部を含む演出装置の制御を行なうためのコマンドを送信する遊技制御手段（遊技制御用マイクロコンピュータ５６０）と、
前記遊技制御手段が送信するコマンドに基づいて、前記演出装置の制御を行なう演出制御手段（演出制御用マイクロコンピュータ１００）とを備え、
前記遊技制御手段は、
前記特定遊技状態に制御するか否かを前記識別情報の表示結果が導出表示される以前に決定する事前決定手段（図３７のＳ６１）と、
該事前決定手段による決定に基づいて、前記変動表示部において前記識別情報の変動表示が開始されてから表示結果が導出表示されるまでの変動時間を少なくとも特定可能な複数種類の変動表示パターンの中から実行する変動表示パターンを選択する変動表示パターン選択手段（図３８のＳ１０１〜Ｓ１０５）と、
該変動表示パターン選択手段により選択された変動表示パターンを指示するための変動表示パターンコマンド（変動パターンコマンド）を含む前記コマンドを送信するコマンド送信手段（図３のＳ２８、図３９のＳ１１０〜Ｓ１１９）とを含み、
前記演出制御手段は、
予め定められた複数種類の演出パターンの中から、前記変動表示パターンコマンドに基づいて特定された変動表示パターンの変動時間で前記識別情報の変動表示を行なう演出パターンを選択する演出パターン選択手段（図８１のＳ５１４，Ｓ５１５，Ｓ５１７）と、
該演出パターン選択手段により選択された演出パターンにより前記識別情報の変動表示を実行する変動表示実行手段（演出制御用マイクロコンピュータ１００、図８１のＳ５１８〜Ｓ５２１および図８７のＳ８４１〜Ｓ８４５）と、
前記演出装置の表示態様を複数回の変動表示に亘って規定する演出モードとして、第１の演出モード（図７１の（Ａ）、第１モード）と、該第１の演出モードよりもリーチ演出を行なう割合が高い第２の演出モード（図７１の（Ｂ）、第２モード）とのどちらかに選択して実行し、所定のモード切替え条件（変動回数が所定回数となり、かつ、ＳＲ１０の値に基づいて変更が決定されたとき）が成立したときに、実行する演出モードを切替える制御を行なう演出モード制御手段（図８８のＳ８７３Ｃ、図８９のＳ８９１Ｃ）とを含み、
前記変動表示パターン選択手段は、前記識別情報の表示結果が前記特定表示結果とならないときに、リーチ演出を行なう変動表示とリーチ演出を行なわない変動表示とで共通に用いる変動表示パターンとしての共通変動表示パターン（図２８の共通ＰＨ１−１〜ＰＨ１−４）を選択可能であり（図２０の（Ａ）〜（Ｃ）、図２３、図２８、図３８のＳ９８Ｂ）、
前記コマンド送信手段は、前記変動表示パターン選択手段により前記共通変動表示パターンが選択されたときに、当該共通変動表示パターンを特定する共通変動表示パターンコマンド（図７６の第１共通コマンド〜第４共通コマンド）を送信し、
前記演出パターン選択手段は、前記共通変動表示パターンを示すコマンドが送信されたときに、前記演出モード制御手段により切替えられている演出モードが前記第１の演出モードであればリーチ演出を行なわない非リーチ演出パターン（擬似連演出、滑り演出、第２予告演出、遅延停止演出のいずれか）を選択し、前記第２の演出モードであればリーチ演出を行なうリーチ演出パターン（第１リーチ演出〜第４リーチ演出のいずれか）を選択する（図７６）。
【手続補正３】
【補正対象書類名】明細書
【補正対象項目名】００１３
【補正方法】変更
【補正の内容】
【００１３】
（４）  前記演出制御手段は、
前記変動表示部において、前記識別情報の変動表示が開始されてから表示結果が導出表示されるまでに、識別情報とは別に、前記特定遊技状態となることを予告する予告演出（図６７のキャラクタ画像を用いたステップアップ予告を行なう第２予告演出）を、前記事前決定手段により前記特定遊技状態に制御しないと決定されたときと比べて前記事前決定手段により前記特定遊技状態に制御すると決定されたときの方が高い割合で実行するように選択する予告演出選択手段（図８３のＳ５３１〜Ｓ５３７）と、
該予告演出選択手段による選択に応じて、前記予告演出を実行する予告演出実行手段（図８１のＳ５２０、図８７のＳ８４５、図９０のＳＴ１６）とをさらに含み、
前記第１の演出モードにおいて、前記共通変動表示パターンを示すコマンドが送信されたときに前記演出パターン選択手段により選択される前記非リーチ演出パターンは、前記予告演出実行手段による予告演出を実行する予告演出パターン（第２予告演出の演出制御パターン）を含み（図７６、図７７の（Ｃ））、
前記予告演出実行手段は、前記演出パターン選択手段により前記予告演出パターンが選択されたときに、前記予告演出選択手段による選択によらず、前記予告演出を実行する（Ｓ５１３、Ｓ５１４、Ｓ５１８〜Ｓ５２０）。
【手続補正４】
【補正対象書類名】明細書
【補正対象項目名】００１５
【補正方法】変更
【補正の内容】
【００１５】
（５）  遊技者が操作可能な操作手段（操作ボタン３０）をさらに備え、
前記予告演出パターンは、実行する予告演出として、予告演出を実行可能な状態とするとともに、前記操作手段が操作されたことを条件として前記予告演出を実行する操作予告演出（第２予告演出）を含み（図６７）、
前記予告演出実行手段は、前記演出パターン選択手段により前記予告演出パターンが選択されたときに、前記操作予告演出を実行する（図６７、図８７のＳ８４３ｄ〜Ｓ８４３ｆ）。
【手続補正５】
【補正対象書類名】明細書
【補正対象項目名】００１６
【補正方法】削除
【補正の内容】